(57)【要約】      （修正有）【課題】部品点数及び組立工数を低減させ、安価で省スペースを図ることができる簡易な構成によるエジェクト機構を備えたカードコネクタを提供すること。【解決手段】ハウジング１に対してＩＣカード７を引き出し可能な引き出し片４２と、ＩＣカード７の縁部が当接する折曲片４３と、を有するエジェクト板４を用いて、これをハウジング１にスライド可能に設けることにより、小型化及び簡易化が可能なエジェクタ機構３を備えたカードコネクタ１００を提供することができる。【選択図】図１
2007234472.tif 000002
【特許請求の範囲】
【請求項１】
ＩＣカードの接続端子と電気接続するコンタクト群と、当該コンタクト群を保持する略矩形の板状のハウジングと、を備え、前記ＩＣカードが前記ハウジングの一方の面と略並行に挿抜されるカードコネクタであって、
前記ハウジングは、前記ＩＣカードを引き出すためのエジェクト機構を備え、
前記エジェクト機構は、前記コンタクト群の近傍に設けられ、互いに向かい合う一対のガイド壁と、この一対のガイド壁の間をスライド可能なエジェクト板と、前記ハウジングに取り付けられ、前記エジェクト板を覆うカバープレートと、を有し、
前記エジェクト板は、一方の端部に前記ＩＣカードの縁部が当接する折曲片を有し、他方の端部に前記ハウジングに対して前記ＩＣカードを引き出し可能な引き出し片を有するカードコネクタ。
【請求項２】
前記エジェクト板は、前記カバープレート側に隆起する互いに離間した一対の突起部を有し、
前記カバープレートは、前記一対の突起部に係合する係合穴を有し、
一方の前記突起部は、前記ＩＣカードが挿入されたときに前記係合穴と係合し、
他方の前記突起部は、前記ＩＣカードが引き出されるときに前記係合穴と係合する請求項１に記載のカードコネクタ。
【請求項３】
前記カードコネクタは、プリント基板に実装される請求項１又は２に記載のカードコネクタ。
【請求項４】
前記ＩＣカードは、ＳＩＭカードを含む請求項１から３のいずれかに記載のカードコネクタ。
【請求項５】
請求項１から４のいずれかに記載のカードコネクタを実装する携帯電話機。
【発明の詳細な説明】
【技術分野】
【０００１】
本発明は、カードコネクタに関する。特に、携帯電話に用いられるＳＩＭ（Ｓｕｂｓｃｒｉｂｅｒ  Ｉｄｅｎｔｉｔｙ  Ｍｏｄｕｌｅ）カードのような小型のＩＣカード用のカードコネクタに関する。
【背景技術】
【０００２】
近年、ユーザＩＤや電話番号等のユーザ情報をＳＩＭカードに記録しておき、このＳＩＭカードを装着して使用するタイプの携帯電話が普及している。このような携帯電話は、従来の携帯電話のようにユーザ情報を携帯電話本体に記録するのではなく、ＳＩＭカードに記録しておき、このＳＩＭカードを携帯電話に装着して初めて通話可能になる。
【０００３】
ここで、ＳＩＭカードとは、携帯電話から取り外し可能なＩＣカードであって、ＣＰＵやメモリでデータの送受信・保存・演算処理などを行うＩＣチップ付のカードである。利用者は、このＳＩＭカードに、自分の電話番号やユーザＩＤ、契約先電話会社との契約情報等、携帯端末を機能させるために必要な情報を記録し、携帯電話に装着して使用する。
【０００４】
例えば、利用者は、所定の情報が記録されたＳＩＭカードを購入後、このＳＩＭカードを携帯電話に装着することにより、自分の携帯電話として使用可能になる。また、利用者は、ＳＩＭカードを差し替えることにより、同じ電話番号で別の携帯電話を利用することもできる。さらに、利用者は、同じ携帯電話で複数のＳＩＭカードを使い分けることも可能になる。
【０００５】
ところで、近年、上記のような携帯電話は、更なる小型化が進んでいる。これにより、携帯電話の筐体内部に装着可能な部品の実装面積等も限定されており、さまざまな部品を小型化させる必要性が生じていた。これは、ＳＩＭカードの装着部においても同様であった。しかしながら、従来のＳＩＭカードの装着部には、ＳＩＭカードを引き出すための複雑な構成を有するエジェクト機構が設けられており、このエジェクト機構は、複雑であるが故、部品点数が多く、占有面積も大きかった。したがって、従来のエジェックト機構は、小型の携帯電話に装着するための装着スペースを確保することが困難であった。
【０００６】
これに対し、ＳＩＭカードと電気接続するコネクタにＳＩＭカードを引き出すためのエジェクト機構を一体に設けることにより、携帯電話におけるＳＩＭカードのエジェクト機構の装着スペースを確保したスロットインタイプのカードコネクタが開示されている（例えば、特許文献１参照）。
【０００７】
特許文献１によるカードコネクタは、エジェクト機構を有する枠体を備える。枠体は、合成樹脂製のベースと板金製のカバーとからなり、ベースの底壁とカバーの天板との間にカードを挿入するための挿入空間が区画される。エジェクト機構は、ベースに取り付けられるワイヤからなる弾性部材と、カバーに一体に形成されるストッパとにより構成されている。
【特許文献１】特開２００３−０４５５６１号公報
【発明の開示】
【発明が解決しようとする課題】
【０００８】
しかしながら、特許文献１に開示されたカードコネクタは、コネクタにエジェクト機構を設けることにより、エジェクト機構の装着スペースを確保しているが、エジュクト機構に弾性部材を用いており、挿入したＩＣカードを弾性力で押し出す構成としているため、コネクタに弾性部材を可動させるための可動スペースを設ける必要があった。これにより、基板上でのハウジングの実装面積又は実装高さが大きくなるという問題があった。また、カードの挿抜方向を規制するガイド部材や弾性部材によるカードの飛び出しを規制するストッパの代わりにハウジングにカバーを設けているため、部品点数が増加し、部品コストや組立てコスト等の製造コストが高くなるという問題があった。
【０００９】
本発明は、上記課題に鑑みてなされたものであり、部品点数及び組立工数を低減させ、安価で省スペースを図ることができる簡易な構成によるエジェクト機構を備えたカードコネクタを提供することを目的とする。
【課題を解決するための手段】
【００１０】
本発明者は、ハウジングに対してＩＣカードを引き出すための引き出し片と、ＩＣカードの縁部が当接する折曲片と、を有するエジェクト板を用いて、これをハウジングにスライド可能に設けることにより、エジェクト機構を備えたカードコネクタの小型化及び簡易化が可能であることを見出し、これに基づいて、以下のようなカードコネクタを発明するに至った。
【００１１】
（１）  ＩＣカードの接続端子と電気接続するコンタクト群と、当該コンタクト群を保持する略矩形の板状のハウジングと、を備え、前記ＩＣカードが前記ハウジングの一方の面と略並行に挿抜されるカードコネクタであって、前記ハウジングは、前記ＩＣカードを引き出すためのエジェクト機構を備え、前記エジェクト機構は、前記コンタクト群の近傍に設けられ、互いに向かい合う一対のガイド壁と、この一対のガイド壁の間をスライド可能なエジェクト板と、前記ハウジングに取り付けられ、前記エジェクト板を覆うカバープレートと、を有し、前記エジェクト板は、一方の端部に前記ＩＣカードの縁部が当接する折曲片を有し、他方の端部に前記ハウジングに対して前記ＩＣカードを引き出し可能な引き出し片を有するカードコネクタ。
【００１２】
（１）の発明によるカードコネクタは、コンタクト群と、ＩＣカードを引き出すためのエジェクト機構を備えた略長方形の板状のハウジングと、を備えている。各コンタクトは、ＩＣカードの接続端子と電気接続する。ハウジングは、各コンタクトを保持するとともに、ＩＣカードを引き出すためのエジェクト機構を有する。
【００１３】
ここで、各コンタクトは、導電性を有している。導電性のコンタクトは、導電性の金属板を成形加工したものであればよく、例えば、片持ち梁がばねと同じ働きをするカンチレバーコンタクトであってもよい。一方、ハウジングは、絶縁性を有している。絶縁性のハウジングは、非導電性の材料からなるハウジングであればよく、エンジニアリングプラスチックを成形して、略長方形の板状の形状を得たものであってもよい。
【００１４】
また、ＩＣカードは、チップカードとも呼ばれ、ＳＩＭカードを含んでいる。ＩＣカードは絶縁性のプラスチック筐体の内部にＩＣチップが収納されている。このＩＣチップは、プラスチック筐体の表面に貼り付けられた複数の金属箔に接続されている。そして、複数に区画されたこの金属箔がＩＣカードの接続端子となっている。
【００１５】
なお、コンタクト群がＩＣカードの接続端子と電気接続するとは、コンタクトの接点がＩＣカードの接続端子を付勢して接触することにより電気的に接続することも含む。また、ハウジングがコンタクトを保持するとは、コンタクトの基部若しくは後述する固定アームがハウジングに保持されることであってよく、コンタクトの基部若しくは固定アームの全体が保持される場合、及びコンタクトの基部若しくは固定アームの一部が保持される場合を含んでよい。
【００１６】
エジェクト機構は、ＩＣカードが挿抜される挿抜方向と略並行に形成された一対のガイド壁と、この一対のガイド壁の間をスライド可能に移動するエジェクト板と、ハウジングに取り付けられ、エジェクト板の一部を覆うカバープレートと、を含む。一対のガイド壁は、挿抜されるＩＣカードと対向する一方の面に設けられていてもよい。また、一対のガイド壁は、これらのガイド壁の間をエジェクト板がＩＣカードの挿抜方向にスライド可能に設けられていればよく、例えば、挿抜方向と略並行に設けられていればよい。
【００１７】
エジェクト板は、略矩形状に形成されており、一方の端部にＩＣカードの縁部が当接する折曲片を有し、他方の端部にエジェクト板をスライド移動させ、折曲片に当接したＩＣカードをハウジングから引き出すための引き出し片を有する。エジェクト板のスライド方向における長さは、ＩＣカードの挿抜向きにおけるＩＣカードの挿抜方向の長さと略同一の長さを有する。例えば、略矩形状のＩＣカードをＩＣカードの長手方向に挿入する場合には、エジェクト板の長さは、この長手方向と略同一の長さを有すればよく、同様に、ＩＣカードの短手方向に挿入する場合には、この短手方向と略同一の長さを有すればよい。引き出し片は、ＩＣカード挿入後、エジェクト板を引き出し可能に設けられていればよく、筐体側挿入部の開口に対して、この開口と相反する方向に屈曲していてもよい。折曲片は、ＩＣカードの縁部を係止可能に設けられていればよく、引き出し片と相反する方向に屈曲していてもよい。なお、ＩＣカードの縁部とは、ＩＣカードの抜去方向における後端側周面を含む。また、縁部が当接するとは、この縁部全体が折曲片に当接する場合を含み、縁部の一部が折曲片に当接する場合も含む。
【００１８】
カバープレートは、ハウジングに取り付けられ、エジェクト板を保持する。カバープレートの実装高さは、ハウジングの面と略同一面上に設けられている。なお、エジェクト板を保持するとは、エジェクト板のスライド移動をガイドすることを含み、エジェクト板のハウジングからの脱離を防止することを含む。また、カバープレートは、抜去方向にスライド移動するエジェクト板の折曲片と所定位置で当接することにより、抜去方向におけるエジェクト板の移動距離を規制する。なお、所定位置とは、エジェクト板をスライドさせることによりＩＣカードを取り出し可能な状態まで引き出す位置をいう。
【００１９】
（１）の発明によるカードコネクタは、ＩＣカードを引き出すためのエジェクト機構をコネクタ側に設けているため、筐体側の設計の自由度が増す。すなわち、携帯電話等の筐体を小型化し得るが可能になる。さらに、エジェクト機構は、ハウジングに一対の切り欠き状のガイド壁を設け、これらのガイド壁の間にエジェクト板を配置し、このエジェクト板をスライドさせる構成としている。このため、ばね等の弾性部材及びこの弾性部材の可動スペースを設ける必要がなく、カードコネクタの小型化及び省スペース化が可能となる。これにより、基板上でのコネクタの占有面積を減少させることが可能になる。また、エジェクト機構の構成が簡易であるため、部品点数の減少やこれに伴う組立コストの削減が可能になり、製造コストの低減を図ることが可能になる。
【００２０】
（２）  前記エジェクト板は、前記カバープレート側に隆起する互いに離間した一対の突起部を有し、前記カバープレートは、前記一対の突起部に係合する係合穴を有し、一方の前記突起部は、前記ＩＣカードが挿入されたときに前記係合穴と係合し、他方の前記突起部は、前記ＩＣカードが引き出されるときに前記係合穴と係合する（１）に記載のカードコネクタ。
【００２１】
（２）の発明によるカードコネクタは、エジェクト板にカバープレート側に隆起し、互いに離間した一対の突起部を備える。突起部のそれぞれは、折曲片及び引き出し片の近傍に設けられてもよい。また、カバープレートは、一対の突起部のそれぞれと係合する係合穴を備える。一方の突起部は、ＩＣカードが挿入された時にカバープレートの係合穴と係合することにより、エジェクト板の移動を係止し、エジェクト板を保持する。また、他方の突起部は、ＩＣカードが引き出されるときにカバープレートの係合穴と係合し、エジェクト板の移動を係止し、エジェクト板を保持する。これにより、エジェクト板の挿抜において、エジェクト板の飛び出し等、無用なエジェクタ板の動きを規制可能となり、エジェクト板の破損を防止することができる。
【００２２】
（３）前記カードコネクタは、プリント基板に実装される（１）又は（２）に記載のカードコネクタ。
【００２３】
（４）  前記ＩＣカードは、ＳＩＭカードを含む（１）から（３）のいずれかに記載のカードコネクタ。
【００２４】
（５）  （１）から（４）のいずれかに記載のカードコネクタを実装する携帯電話機。
【発明の効果】
【００２５】
本発明によれば、部品点数及び組立工数を低減させ、安価で省スペースを図ることができる簡易な構成によるエジェクト機構を備えたカードコネクタを提供することができる。
【発明を実施するための最良の形態】
【００２６】
以下、図面を参照して本発明を実施するための最良の形態を説明する。
【００２７】
図１は、本発明の実施形態に係るカードコネクタの構成を示す図であり、図１（Ａ）は正面図、図１（Ｂ）は平面図、図１（Ｃ）は底面図、図１（Ｄ）は左側面図、図１（Ｅ）は右側面図である。図２は、前記実施形態に係るカードコネクタのエジェクト板を引き出した状態を示す図であり、図２（Ａ）は正面図、図２（Ｂ）は右側面図である。図３は、図１におけるＸ−Ｘ断面図である。図４は、前記実施形態に係るハウジングを示す斜視図である。
【００２８】
図５は、前記実施形態に係るエジェクト板の構成を示す図であり、図５（Ａ）は正面図、図５（Ｂ）は平面図である。図６は、カードコネクタが装着された携帯電話にＳＩＭカードを挿入する状態を示す外観図である。図７は、図６における筐体にＳＩＭカードを挿入した場合のカードコネクタとＳＩＭカードとの接続状態を示す図であり、図７（Ａ）は正面図、図７（Ｂ）は右側面図である。図８は、図６における筐体に挿入されているＳＩＭカードを取り出すためにエジェクト板を引き出した状態を示す図であり、図８（Ａ）は正面図、図８（Ｂ）は右側面図である。
【００２９】
最初に、本発明の実施形態に係るカードコネクタ１００の構成を説明する。図１から３において、カードコネクタ１００は、ＳＩＭカード（ＩＣカード）７の挿抜方向にスライド可能なエジェクト機構３を備えた略長方形の板状のハウジング１と、ＳＩＭカード（ＩＣカード）７と電気接続される６つのコンタクト２と、を備える。ハウジング１は、絶縁性を有しており、エンジニアリングプラスチックを成形して、略長方形の板状に成形したものである。ハウジング１には、エジェクト機構３が設けられる。また、コンタクト２は、導電性の金属板を成型加工して片持ち梁がばねと同じ働きをするカンチレバー型に成形したものである。コンタクト２は、ハウジング１にインサート成形されている。
【００３０】
図４において、ハウジング１は、略長方形に形成されており、コンタクト２が収容されるコンタクト保持部１１が設けられている。コンタクト保持部１１は、コンタクト２を保持する。コンタクト保持部１１の近傍には、後述するエジェクト機構３におけるガイド溝６が設けられている。エジェクト機構３は、エジェクト板４と、カバープレート５と、一対のガイド壁６ａ、６ｂからなるガイド溝６と、を含む。
【００３１】
図５において、エジェクト板４は、板状の金属板を成形加工したものであって、エジェクト板本体４１と、このエジェクト板本体４１の一端に設けられた引き出し片４２と、エジェクト板本体４１の他端に設けられた折曲片４３と、を含む。
【００３２】
エジェクト板本体４１は、略矩形の帯板状に形成されている。エジェクト板本体４１の短手方向の長さ、すなわち、横幅は、各ガイド壁６ａ、６ｂが対向する距離と略同じ長さに形成されており、長手方向の長さは、ＳＩＭカード（ＩＣカード）７の挿抜向きにおけるＳＩＭカード（ＩＣカード）７の挿抜方向の長さと略同一の長さに形成されている。エジェクト板本体４１の長手方向の一端には、引き出し片４２が形成されている。引き出し片４２は、略長方形に形成されており、エジェクト板本体４１と一体に形成されている。引き出し片４２は、ハウジング１のガイド溝６が設けられる方向に屈曲しており、ハウジング１の周面の一部に当接している。また、エジェクト板本体４１の長手方向の他端には、折曲片４３が形成されている。折曲片４３は、略長方形に形成されており、エジェクト板本体４１と一体に形成されている。折曲片４３は、引き出し片４２と相反する方向に屈曲しており、ＳＩＭカード（ＩＣカード）７の縁部と当接する。エジェクト板本体４１は、引き出し片４２と折曲片４３の近傍のそれぞれにカバープレート５側に隆起した一方及び他方の突起部４４ａ、４４ｂを備える。
【００３３】
ガイド溝６は、一対のガイド壁６ａ、６ｂからなり、各ガイド壁６ａ、６ｂは、ＳＩＭカード（ＩＣカード）７が挿入される挿入方向に沿ってハウジング１の一方の面１２を所定の深さに切り欠かれた状態で形成されている。ここで、一方の面１２とは、ＳＩＭカード（ＩＣカード）７の接続端子と電気接続するコンタクト２を備える面をいう。また、所定の深さとは、カバープレート５で覆われたエジェクト板４がスライド可能な深さであればよい。
【００３４】
カバープレート５は、エジェクト板４の一部を覆うようにエジェクト板４を保持する。カバープレート５は、エジェクト板４の保持部に係合穴５１が設けられている。この係合穴５１は、前述した一方及び他方の突起部４４ａ、４４ｂのそれぞれと係合する。具体的には、ＳＩＭカード（ＩＣカード）７の挿入時には、一方の突起部４４ａと係合穴５１とが係合する。また、ＳＩＭカード（ＩＣカード）７の引き出し時には、他方の突起部４４ｂと係合穴５１とが係合する。
【００３５】
コンタクト２は、板状の金属板を成形加工した板状コンタクトからなり、固定アームと弾性アームとを有している。コンタクト２は、固定アーム及び弾性アームの基端部同士を結合することにより、略Ｖ字状に形成されている。ここで、略Ｖ字状に形成されているとは、固定アームに対して弾性アームが傾斜配置されていることを含む。また、コンタクト２は、弾性アームの基端部が支持され、弾性アームの先端部に荷重が作用するように片持ち梁となっている。なお、固定アーム及び弾性アームの基端部同士は、円弧状に結合されることが好ましい。これにより、弾性アームに作用する荷重に対して集中応力が緩和できることとなる。
【００３６】
弾性アームは、細長い帯板状に形成され、先端部が緩やかな円弧状に形成されている。弾性アームの先端部には、円弧状の接点が設けられている。固定アームは、一対の張り出し片（図示せず）を備え、先端部にハンダ接合部（図示せず）を設けている。コンタクト２は、この張り出し片（図示せず）を利用して、ハウジング１にモールド成形されている。
【００３７】
コンタクト２は、弾性アームの接点がハウジング１の一方の面から突出するようにハウジング１と一体成形されることにより、ハウジング１に保持されている。ここで、接点がハウジング１の一方の面から突出しているとは、弾性アームの一部がハウジング１の一方の面から突出していることを含む。ＳＩＭカード（ＩＣカード）７は、この一方の面１２と平行に挿入される（図６参照）。
【００３８】
図６から８を参照して、ＳＩＭカード（ＩＣカード）７の挿入、抜去の動作について説明する。図６において、本実施例に係るカードコネクタ１００は、携帯電話８の筐体の内部に設けられたプリント基板（図示せず）に装着される。具体的には、カードコネクタ１００は、プリント基板に装着された状態でハウジング１の第１辺１２ａが携帯電話８の矩形状の挿入口８１を形成する長手方向の１辺に沿うように装着される。そして、挿入口８１から挿入されたＳＩＭカード（ＩＣカード）７は、接続端子７１をカードコネクタ１００の各コンタクト２と接触させることにより携帯電話８と電気接続する。
【００３９】
まず、ＳＩＭカード（ＩＣカード）７の挿入状態について説明する。図７において、挿入口８１から挿入されたＳＩＭカード（ＩＣカード）７の縁部７２は、エジェクト板４の折曲片４３に当接する。このとき、引き出し片４２は、折曲片４３と相反する方向、すなわち、挿入口８１開口に対して相反する方向に屈曲しているため、携帯電話８の挿入口８１の外部に当接し、エジェクト板４の所定量以上のスライドを防止する。これにより、ＳＩＭカード（ＩＣカード）７の挿入量が確定される。また、エジェクト板本体４１に設けられた一方の突起部４４ａは、カバープレート５に設けられた係合穴５１と係合する。これにより、エジェクト板４は、スライド動作が規制される。さらに、ＳＩＭカード（ＩＣカード）７は、コンタクト２から筐体側への付勢力を受けることにより、挿抜方向への動作が規制される。
【００４０】
次に、ＳＩＭカード（ＩＣカード）７の抜去状態について説明する。図８において、携帯電話８の内部に挿入され、ハウジング１及びエジェクト板４に載置された状態にあるＳＩＭカード（ＩＣカード）７は、引き出し片４２を引っ張ることにより、携帯電話８の内部から引き出される。具体的には、引き出し片４２を引っ張ると、エジェクト板４がガイド溝６をスライドする。このとき、折曲片４３は、ＳＩＭカード（ＩＣカード）７の縁部に当接した状態にあるため、エジェクト板４のスライドとともにＳＩＭカード（ＩＣカード）７を押し出す。なお、一方の突起部４４ａと、一方の突起部４４ａと係合していた係合穴５１とは、抜去方向に所定の力を加えることにより、係合が解除される。これにより、エジェクト板４のスライド移動が可能になり、ＳＩＭカード（ＩＣカード）７は、携帯電話８から引き出される。スライド移動したエジェクト板４が所定量移動すると、他方の突起部４４ｂと係合穴５１が係合し、抜去方向へのエジェクト板４のスライドが規制される。このように、エジェクト板４が挿入口８１から所定量引き出されると、同様にＳＩＭカード（ＩＣカード）７も引き出され、ＳＩＭカード（ＩＣカード）７は、携帯電話８から取り出し可能になる。
【００４１】
このように、本実施形態に係るカードコネクタ１００によれば、ハウジング１に対してＳＩＭカード（ＩＣカード）７を引き出し可能な引き出し片４２と、ＳＩＭカード（ＩＣカード）７の縁部が当接する折曲片４３と、を有するエジェクト板４を用いて、これをハウジング１にスライド可能に設けることにより、部品点数及び組立工数を低減させ、安価で省スペースを図ることができる簡易な構成によるエジェクト機構を備えたカードコネクタを提供することができる。
【図面の簡単な説明】
【００４２】
【図１】本発明の実施形態に係るカードコネクタの構成を示す図である。
【図２】前記実施形態に係るカードコネクタのエジェクト板を引き出した状態を示す図である。
【図３】図１におけるＸ−Ｘ断面図である。
【図４】前記実施形態に係るハウジングを示す図である。
【図５】前記実施形態に係るエジェクト板の構成を示す図である。
【図６】前記実施形態に係るカードコネクタが装着された携帯電話にＳＩＭカードを挿入する状態を示す外観図である。
【図７】図６における携帯電話にＳＩＭカードを挿入した場合のカードコネクタとＳＩＭカードとの接続状態を示す図である。
【図８】図６における携帯電話に挿入されているＳＩＭカードを取り出すためにエジェクト板を引き出した状態を示す図である。
【符号の説明】
【００４３】
１    ハウジング
２    コンタクト
３    エジェクト機構
４    エジェクト板
４１  摺動部
４２  引き出し片
４３  折曲片
４４ａ  一方の突起部
４４ｂ  他方の突起部
５    カバープレート
５１  係合穴
６    ガイド溝
６ａ  一方のガイド壁
６ｂ  他方のガイド壁
７    ＳＩＭカード（ＩＣカード）
７１  接続端子
７２  縁部
８    携帯電話機
８１  挿入口
１００  カードコネクタ
【図１】
2007234472.tif 000003
【図２】
2007234472.tif 000004
【図３】
2007234472.tif 000005
【図４】
2007234472.tif 000006
【図５】
2007234472.tif 000007
【図６】
2007234472.tif 000008
【図７】
2007234472.tif 000009
【図８】
2007234472.tif 000010